(57)【要約】【課題】ドライバーＩＣの放熱効率を向上させることが可能な有機ＥＬパネルを提供する。【解決手段】支持基板１１と、支持基板１１上に第一電極と有機発光層と第二電極とを少なくとも積層形成してなる発光表示部１２と、支持基板１１上に発光表示部１２を気密的に覆うように配設される封止部材１３と、支持基板１１上に封止部材１３と並んで実装され前記第一，第二電極間に駆動電流を印加するドライバーＩＣ１４と、を備えてなる有機ＥＬパネル１００である。封止部材１３の発光表示部１２と対向する面と反対側の面上に配設され、封止部材１３と重なる基部１５ａと基部１５ａから延設されドライバーＩＣ１４と対向する延設部１５ｂを有する第一の放熱部材１５と、ドライバーＩＣ１４と延設部１５ｂとの間に配設され、一方の面がドライバーＩＣ１４と接し他方の面が延設部１５ｂと接する熱伝導部１６と、を備えてなることを特徴とする。【選択図】  図１
2014078611.tif 000002
【特許請求の範囲】
【請求項１】
支持基板と、前記支持基板上に第一電極と有機発光層と第二電極とを少なくとも積層形成してなる発光表示部と、前記支持基板上に前記発光表示部を気密的に覆うように配設される封止部材と、前記支持基板上に前記封止部材と並んで実装され前記第一，第二電極間に駆動電流を印加するドライバーＩＣと、を備えてなる有機ＥＬパネルであって、
前記封止部材の前記発光表示部と対向する面と反対側の面上に配設され、前記封止部材と重なる基部と前記基部から延設され前記ドライバーＩＣと対向する延設部とを有する第一の放熱部材と、
前記ドライバーＩＣと前記延設部との間に配設され、一方の面が前記ドライバーＩＣと接し他方の面が前記延設部と接する熱伝導部と、を備えてなることを特徴とする有機ＥＬパネル。
【請求項２】
前記熱伝導部は、その面積が前記ドライバーＩＣの面積よりも大きいことを特徴とする請求項１に記載の有機ＥＬパネル。
【請求項３】
前記支持基板の前記ドライバーＩＣが実装される面と反対側の面上に前記ドライバーＩＣと対向し前記ドライバーＩＣから発せられる熱を前記支持基板の面方向に拡散させる第二の放熱部材が配設されてなることを特徴とする請求項１または請求項２に記載の有機ＥＬパネル。
【発明の詳細な説明】
【技術分野】
【０００１】
本発明は、有機ＥＬ（Electro  Luminescence）パネルに関し、特に支持基板上にドライバーＩＣを実装したＣＯＧ（Chip  On  Glass）型の有機ＥＬパネルに関するものである。
【背景技術】
【０００２】
従来、有機ＥＬパネルとして、例えば、少なくとも有機発光層を有する有機層をＩＴＯ（Indium  Tin  Oxide）等からなる陽極ライン（第一電極ライン）と、アルミニウム（Ａｌ）等からなる陰極ライン（第二電極ライン）とで狭持してなる有機ＥＬ素子を発光画素としてガラス材料からなる支持基板上に複数形成して発光表示部を構成するものが知られている（例えば特許文献１参照）。かかる有機ＥＬ素子は、前記陽極から正孔を注入し、また、前記陰極から電子を注入して正孔及び電子が前記発光層にて再結合することによって光を発するものである。
【０００３】
また、前記有機ＥＬ素子を駆動させるためのドライバーＩＣの実装方法としては、このドライバーＩＣを支持基板上に直接実装するＣＯＧ形態が知られている（例えば特許文献２参照）。ＣＯＧ型の有機ＥＬパネルは、ＦＰＣ（Flexible  Printed  Circuit）上にドライバーＩＣを実装するＴＣＰ（Tape  Career  Package）型等の他の実装方法に対して小型化が可能な点などで優れている。
【先行技術文献】
【特許文献】
【０００４】
【特許文献１】特開平８−３１５９８１号公報
【特許文献２】特開２０００−４０５８５号公報
【特許文献３】特開２０１１−１９２９４２号公報
【発明の概要】
【発明が解決しようとする課題】
【０００５】
ＣＯＧ型の有機ＥＬパネルは、支持基板上に形成される金属配線（厚さ０．５μｍ程度）上に直接ドライバーＩＣを搭載する構成であるため、熱抵抗が非常に大きくなりドライバーＩＣからの放熱が妨げられドライバーＩＣの温度が高くなりやすい。そのため、特に計器等の車載用機器に用いられ高輝度発光を要求される有機ＥＬパネルにおいては、ドライバーＩＣからの熱でドライバーＩＣに近い発光画素の劣化や円偏光板の劣化が早く進行する、あるいはドライバーＩＣの温度が定格温度を超える場合が生じ、特に高温時における動作信頼性が低下する可能性があるという問題点がある。
【０００６】
これに対し、ドライバーＩＣの放熱効率を向上させる方法として、特許文献３には、支持基板のドライバーＩＣが実装される面と反対側の面上にドライバーＩＣと対向しドライバーＩＣから発せられる熱を支持基板の面方向に拡散させる放熱部材を配設する技術が開示されている。
【０００７】
しかしながら、特許文献３に開示される技術は、支持基板側から光を出射するボトムエミッション型の有機ＥＬパネルにおいては放熱部材の大きさが非発光領域に限られ、放熱効率を向上させる点ではなお改良の余地があった。
【０００８】
そこで本発明は、前述の問題点に鑑み、ＣＯＧ型の有機ＥＬパネルにおいて、ドライバーＩＣの放熱効率を向上させることが可能な有機ＥＬパネルを提供することを目的とするものである。
【課題を解決するための手段】
【０００９】
本発明は、前記課題を解決するため、支持基板と、前記支持基板上に第一電極と有機発光層と第二電極とを少なくとも積層形成してなる発光表示部と、前記支持基板上に前記発光表示部を気密的に覆うように配設される封止部材と、前記支持基板上に前記封止部材と並んで実装され前記第一，第二電極間に駆動電流を印加するドライバーＩＣと、を備えてなる有機ＥＬパネルであって、
前記封止部材の前記発光表示部と対向する面と反対側の面上に配設され、前記封止部材と重なる基部と前記基部から延設され前記ドライバーＩＣと対向する延設部とを有する第一の放熱部材と、
前記ドライバーＩＣと前記延設部との間に配設され、一方の面が前記ドライバーＩＣと接し他方の面が前記延設部と接する熱伝導部と、を備えてなることを特徴とする。
【発明の効果】
【００１０】
以上、本発明によれば、ＣＯＧ型の有機ＥＬパネルにおいて、ドライバーＩＣの放熱効率を向上させることが可能となる。
【図面の簡単な説明】
【００１１】
【図１】本発明の実施形態である有機ＥＬパネルを示す（ａ）上面図及び（ｂ）底面図である。
【図２】同上有機ＥＬパネルを示す側面図である。
【図３】同上有機ＥＬパネルの要部拡大図である。
【図４】同上有機ＥＬパネルを示す有機ＥＬ素子を示す断面図である。
【発明を実施するための形態】
【００１２】
以下、本発明の実施形態である有機ＥＬパネル１００を添付図面に基づき説明する。図１及び図２は有機ＥＬパネル１００の全体図であり、図３及び図４は有機ＥＬパネル１００の要部拡大図である。
有機ＥＬパネル１００は、支持基板１１と、発光表示部１２と、封止部材１３と、ドライバーＩＣ１４と、第一の放熱部材１５と、熱伝導部１６と、円偏光板１７と、第二の放熱部材１８と、を備える。なお、図中においては、後述する各配線の一部を省略して図示している。また、図３においては、封止部材１３及び第一の放熱部材１５を省略して図示している。
【００１３】
支持基板１１は、長方形形状の透明ガラス材からなる電気絶縁性の基板である。支持基板１１の一方の面（図２における上面）上には、図１（ａ）及び図２に示すように、発光表示部１２とドライバーＩＣ１４とが設けられている。また、支持基板１１の一方の面上には、発光表示部１２を気密的に覆うように封止部材１３が配設され、封止部材１３の発光表示部１２と対向する面と反対側の面（図２における上面）上には第一の放熱部材１５が配設されている。また、ドライバーＩＣ１４と第一の放熱部材１５の後述する延設部１５ｂとの間には熱伝導部１６が配設されている。また、支持基板１１の一方の面上には、後述する発光表示部１２の各陽極ラインと接続される陽極配線２１と後述する発光表示部１２の各陰極ラインと接続される陰極配線２２とドライバーＩＣ１４を外部回路と電気的に接続するための入力配線２３とが形成されている。
これに対し、支持基板１１の他方の面（ドライバーＩＣ１４が実装される面と反対側の面であって、図２における底面）上には、図１（ｂ）及び図２に示すように、円偏光板１７と第二の放熱部材１８とが並んで設けられている。
【００１４】
発光表示部１２は、図３及び図４に示すように、複数形成される陽極ライン（第一電極）１２ａと、絶縁膜１２ｂと、隔壁１２ｃと、有機層１２ｄと、複数形成される陰極ライン（第二電極）１２ｅと、から主に構成され、各陽極ライン１２ａと各陰極ライン１２ｅとが交差して有機層１２ｄを挟持する個所からなる複数の発光画素（有機ＥＬ素子）を備えるいわゆるパッシブマトリクス型の発光表示部である。本実施形態は、支持基板１１側から発光表示部１２の表示光を出射するいわゆるボトムエミッション型の有機ＥＬパネルとなる。また、発光表示部１２は、図２及び図４に示すように、封止部材１３によって気密的に覆われている。
【００１５】
陽極ライン１２ａは、ＩＴＯ等の透光性の導電材料からなる。陽極ライン１２ａは、蒸着法やスパッタリング法等の手段によって支持基板１１上に前記導電材料を層状に形成した後、フォトリソグラフィー法等によって互いに略平行となるように形成される。各陽極ライン１２ａは、端部の一方側（図１における下方側）で各陽極配線２１と接続される。
【００１６】
絶縁膜１２ｂは、例えばポリイミド系の電気絶縁性材料から構成され、陽極ライン１２ａと陰極ライン１２ｅとの間に位置するように形成され、両電極ライン１２ａ，１２ｅの短絡を防止するものである。絶縁膜１２ｂには、各発光画素を画定するとともに輪郭を明確にする開口部１２ｂ１が形成されている。また、絶縁膜１２ｂは、陰極配線２２と陰極ライン１２ｅとの間にも延設されており、各陰極配線２２と各陰極ライン１２ｅとを接続させるコンタクトホール１２ｂ２を有する。
【００１７】
隔壁１２ｃは、例えばフェノール系の電気絶縁性材料からなり、絶縁膜１２ｂ上に形成される。隔壁１２ｃは、その断面が絶縁膜１２ｂに対して逆テーパー形状となるようにフォトリソグラフィー法等の手段によって形成されるものである。また、隔壁１２ｃは、陽極ライン１２ａと直交する方向に等間隔に複数形成される。隔壁１２ｃは、その上方から蒸着法やスパッタリング法等によって有機層１２ｄ及び陰極ライン１２ｅを形成する場合に有機層１２ｄ及び陰極ライン１２ｅが分断される構造を得るものである。
【００１８】
有機層１２ｄは、陽極ライン１２ａ上に形成されるものであり、少なくとも有機発光層を含むものである。なお、本実施形態においては、有機層１２ｄは正孔注入層，正孔輸送層，有機発光層，電子輸送層及び電子注入層を蒸着法やスパッタリング法等の手段によって順次積層形成してなるものである。
【００１９】
陰極ライン１２ｅは、アルミニウム（Ａｌ）やマグネシウム銀（Ｍｇ：Ａｇ）等の陽極ライン１２ａよりも導電率が高い金属性導電材料を蒸着法等の手段により陽極ライン１２ａと交差するように複数形成してなるものである。また、各陰極ライン１２ｅは、絶縁膜１２ｂに設けられるコンタクトホール１２ｂ２を介して各陰極配線２２と接続される。
【００２０】
封止部材１３は、例えば凹状に成型されたガラス材料からなり、接着剤１３ａを介して支持基板１１上に配設され発光表示部１２を気密的に収納するものである。なお、封止部材１３は、平板状であってもよい。
【００２１】
ドライバーＩＣ１４は、発光表示部１２を発光駆動させる駆動回路を構成し、信号線駆動回路及び走査線駆動回路等を備えるものである。ドライバーＩＣ１４は、公知のＣＯＧ実装技術によって支持基板１１上に発光表示部１２に応じて封止部材１３と並んで実装され、各陽極配線２１及び各陰極配線２２を介して各陽極ライン１２ａ及び各陰極ライン１２ｅと電気的に接続され、外部回路からの駆動信号に基づいて各陽極ライン１２ａと各陰極ライン１２ｅとの間に駆動電流を印加する。
【００２２】
第一の放熱部材１５は、銅（Ｃｕ）やアルミニウム（Ａｌ）等の、支持基板１１の材料よりも熱伝導率の良い材料を平板状に加工してなり、封止部材１３の発光表示部１２と対向する面と反対側の面上に図示しない接着剤等を介して配設されるものである。第一の放熱部材１５は、封止部材１３のパネル面方向に広く配置されるものであり、その面積は少なくとも封止部材１３の面積よりも大きく、封止部材１３と重なる基部１５ａと、ドライバーＩＣ１４と間隔をあけて対向するように基部１５ａから支持基板１１と平行方向に突出する延設部１５ｂとを有する。また、第一の放熱部材１５の厚さは、有機ＥＬパネル１００の用途やドライバーＩＣ１４の発熱量に応じて適宜設定されるものであるが、有機ＥＬパネル１００としての総厚を抑制する観点からは極力薄く形成されることが望ましい。
【００２３】
熱伝導部１６は、シリコン系樹脂材料やアクリル系樹脂材料等の、支持基板１１の材料よりも熱伝導率が高く、特に厚さ方向の熱伝導率に優れた材料を柔軟性のあるシート状に加工してなり、支持基板１１の一方の面側であってドライバーＩＣ１４と第一の放熱部材１５の延設部１５ｂとの間に配設される。すなわち、ドライバーＩＣ１４と第一の放熱部材１５の延設部１５ｂとの間には隙間無く熱伝導部１６が配設され、熱伝導部１６は一方の面（図２における底面）がドライバーＩＣ１４と接し、他方の面（図２における上面）が延設部１５ｂと接する。また、熱伝導部１６は、支持基板１１の非発光領域を覆うようにパネル面方向に広く配置されるものであり、その面積は少なくともドライバーＩＣ１４の面積よりも大きいことが望ましい。具体的には、熱伝導部１６は、その面積が少なくともドライバーＩＣ１４よりも大きく、ドライバーＩＣ１４とともに支持基板１１の一方の面のドライバーＩＣ１４が実装されない領域も覆うように配設される。熱伝導部１６は、支持基板１１の一方の面のドライバーＩＣ１４が実装されない領域において、一方の面が支持基板１１と直接接して、あるいは、陽極配線２１，陰極配線２２及び入力配線２３を介して支持基板１１からの熱の伝達が可能となっている。また、熱伝導部１６は、他方の面全体が第一の放熱部材１５の延設部１５ｂと接し、熱伝導部１６全体から第一の放熱部材１５への熱の伝達が可能となっている。
【００２４】
円偏光板１７は、直線偏光板と複屈折板を積層してなる板状の光透過性部材であり、外光の反射を抑制するものである。円偏光板１７は、図示しない粘着層を介して支持基板１１の出射面側に貼り付けられる。
【００２５】
第二の放熱部材１８は、銅（Ｃｕ）やアルミニウム（Ａｌ）あるいはグラファイト等の、支持基板１１の材料よりも熱伝導率が高く、面方向の熱伝導率が熱伝導部１６よりも優れた材料を加工した粘着性シートからなり、支持基板１１のドライバーＩＣ１４が実装される面と反対側の面上にドライバーＩＣ１４と対向するように配設されるものである。特に面方向の熱伝導率が優れたグラファイトが望ましい。本実施形態においては第二の放熱部材１８は支持基板１１の出射面側に貼り付けられることとなる。なお、後述するようにドライバーＩＣ１４からの発熱をパネル面方向に拡散するべく、第二の放熱部材１８は有機ＥＬパネル１００がケースに収納される等してモジュール化された場合に支持基板１１以外にはいずれの部材とも接触しないものとする。第二の放熱部材１８は、支持基板１１の非発光領域を覆うようにパネル面方向に広く配置されるものであり、その面積は少なくともドライバーＩＣ１４の面積よりも大きいことが望ましい。また、第二の放熱部材１８の厚さは、有機ＥＬパネル１００の用途やドライバーＩＣ１４の発熱量に応じて適宜設定されるものであるが、支持基板１１の同一面上に配置される円偏光板１７よりも薄くすることで、有機ＥＬパネル１００としての総厚を抑制することができ好適である。
【００２６】
陽極配線２１は、陽極ライン１２ａとドライバーＩＣ１４と接続する配線であり、例えば陽極ライン１２ａと同材料であるＩＴＯ、クロム（Ｃｒ）あるいはアルミニウム（Ａｌ）等の導電材料またはこれら導電材料の積層体からなる。陽極配線２１は、支持基板１１の一方の面上に陽極ライン１２ａと一体的に形成される、あるいは陽極ライン１２ａと接続されるように別体に形成される。
【００２７】
陰極配線２２は、陰極ライン１２ｅとドライバーＩＣ１４と接続する配線であり、例えば陽極ライン１２ａと同材料であるＩＴＯ、クロム（Ｃｒ）あるいはアルミニウム（Ａｌ）等の導電材料またはこれら導電材料の積層体からなる。陰極配線２２は、支持基板１１の一方の面上の側方に各陰極ライン１２ｅに対して左右交互に引き回し形成される配線であり、一端が陰極ライン１２ｅと接続され他端がドライバーＩＣ１４と接続される。陰極配線２２は、図３に示すように、コンタクトホール１２ｂ２を介して陰極ライン１２ｅと接続可能とするべく少なくとも陰極ライン１２ｅとの接続個所となる端部が絶縁膜１２ｂを介して陰極ライン１２ｅの下方に位置するように形成される。
【００２８】
入力配線２３は、ドライバーＩＣ１４と外部回路とを電気的に接続するための配線であり、例えば陽極ライン１２ａと同材料であるＩＴＯ、クロム（Ｃｒ）あるいはアルミニウム（Ａｌ）等の導電材料またはこれら導電材料の積層体からなる。入力配線２３は、支持基板１１の一方の面上のドライバーＩＣ１４近傍に引き回し形成され、一端がドライバーＩＣ１４と接続され他端がＡＣＦ（図示しない）を介してＦＰＣ（図示しない）と接続される。
【００２９】
以上の各部によって有機ＥＬパネル１００が構成されている。
【００３０】
次に、本実施形態における主要な放熱経路について説明する。図２中の矢印で示すように、ドライバーＩＣ１４から発せられた熱は、第一の放熱経路として、まずドライバーＩＣ１４と接する熱伝導部１６に伝わりその後第一の放熱部材１５の延設部１５ｂに伝達される。延設部１５ｂに伝達された熱は、第一の放熱部材１５全体に拡散し第一の放熱部材１５から外部に放射される。また、ドライバーＩＣ１４から発せられた熱の一部は、第二の放熱経路として、まず支持基板１１内に伝わりその後第二の放熱部材１８に伝達される。第二の放熱部材に伝達された熱は第二の放熱部材１８全体に拡散される。さらに、第二の放熱部材１８全体に拡散した熱は、第二の放熱部材１８自体から外部に放射されるとともに、第二の放熱部材１８から熱の拡散時点で第二の放熱部材１８よりも低温である支持基板１１の第二の放熱部材１８と接する個所全体に伝達される。さらに、支持基板１１に移動した熱は熱伝導部１６全体に伝わり、その後第一の放熱部材１５の延設部１５ｂに伝達される。延設部１５ｂに伝達された熱は、第一の放熱部材１５全体に拡散し第一の放熱部材１５から外部に放射される。
すなわち、第一の放熱経路によって、ドライバーＩＣ１４からの熱をドライバーＩＣ１４と直接接する熱伝導部１６を介して封止部材１３の面上に配設される面積の広い第一の放熱部材１５に伝達することができ、効率よく放熱することができる。また、ドライバーＩＣ１４と間隔をあけて対向するように配置される第一の放熱部材１５に効率よく熱を移動させるには、ドライバーＩＣ１４と第一の放熱部材１５との間に配置される熱伝導部１６は厚さ方向の熱伝導率に優れた材料であることが望ましいものの、一般的に厚さ方向の熱伝導率に優れる材料は、その面方向の熱伝導率はグラファイトなどの面方向の熱伝導率に優れた材料よりも劣る。これに対し、第二の放熱経路によって、熱伝導部１６よりも面方向の熱伝導率に優れた第二の放熱部材１８を介してドライバーＩＣ１４からの熱を支持基板１１の面方向に拡散することによって、ドライバーＩＣ１４の発熱によるヒートスポットを緩和させ、また、支持基板１１を介して良好に熱伝導部１６全体に熱を伝達することができ、ドライバーＩＣ１４の放熱効率をさらに向上させることができる。
【００３１】
かかる有機ＥＬパネル１００は、支持基板１１と、支持基板１１上に陽極ライン１２ａと有機発光層を含む有機層１２ｄと陰極ライン１２ｅとを少なくとも積層形成してなる発光表示部１２と、支持基板１１上に発光表示部１２を気密的に覆うように配設される封止部材１３と、支持基板１１上に封止部材１３と並んで実装され陽極ライン１２ａと陰極ライン１２ｅとの間に駆動電流を印加するドライバーＩＣ１４と、を備えてなる有機ＥＬパネルであって、封止部材１３の発光表示部１２と対向する面と反対側の面上に配設され、封止部材１３と重なる基部１５ａと基部１５ａから延設されドライバーＩＣ１４と対向する延設部１５ｂを有する第一の放熱部材１５と、ドライバーＩＣ１４と延設部１５ｂとの間に配設され、一方の面がドライバーＩＣ１４と接し他方の面が延設部１５ｂと接する熱伝導部１６と、を備えてなるものである。
これにより、封止部材１３の面上に面積の広い第一の放熱部材１５を配設し、ドライバーＩＣ１４からの熱をドライバーＩＣ１４と直接接する熱伝導部１６を介して第一の放熱部材１５に伝達することができ、効率よく放熱することができる。また、ボトムエミッション型の有機ＥＬパネル１００において光出射面でない封止部材１３の面を利用して第一の放熱部材１５を配設するため、放熱構造が複雑化することがなく有機ＥＬパネル１００全体が大型化することを抑制できる。
【００３２】
また、熱伝導部１６は、その面積がドライバーＩＣ１４の面積よりも大きい。
これにより、ドライバーＩＣ１４と接する個所以外の個所からも熱を第一の放熱部材１５に伝達することができ、さらに効率よく放熱することができる。
【００３３】
また、有機ＥＬパネル１００は、支持基板１１のドライバーＩＣ１４が実装される面と反対側の面上にドライバーＩＣ１４と対向しドライバーＩＣ１４から発せられる熱を支持基板１１の面方向に拡散させる第二の放熱部材１８が配設されてなる。
これにより、熱伝導部１６に厚さ方向の熱伝導率に優れた材料を用いる場合であっても、ドライバーＩＣ１４からの熱を支持基板１１の面方向に拡散することによって、ドライバーＩＣ１４の発熱によるヒートスポットを緩和させ、また、熱伝導部１６全体に良好に熱を移動することができ、ドライバーＩＣ１４の放熱効率をさらに向上させることができる。
【産業上の利用可能性】
【００３４】
本発明は、ＣＯＧ型の有機ＥＬパネルに好適である。
【符号の説明】
【００３５】
１１    支持基板
１２    発光表示部
１２ａ    陽極ライン（第一電極）
１２ｂ    絶縁膜
１２ｃ    隔壁
１２ｄ    有機層
１２ｅ    陰極ライン（第二電極）
１３    封止部材
１４    ドライバーＩＣ
１５    第一の放熱部材
１５ａ  基部
１５ｂ  延設部
１６    熱伝導部
１７    円偏光板
１８    第二の放熱部材
２１    陽極配線
２２    陰極配線
２３    入力配線
【図１】
2014078611.tif 000003
【図２】
2014078611.tif 000004
【図３】
2014078611.tif 000005
【図４】
2014078611.tif 000006